(57)【要約】【課題】安全性の高い飲料缶収納構成を備えた冷蔵庫を提供する。【解決手段】冷蔵庫本体の缶収納室に引出自在に配置した缶収納ケース１１６を備え、上記缶収納ケースは平面視略Ｕ字状通路部１１７と略Ｕ字状通路部１１７の出入り口部を覆う前板１１８とを備え、かつ、前記略Ｕ字状通路部１１７の側壁外面にはレール受け部１１９を設け、当該レール受け部１１９を前記貯蔵室の缶収納室のレールに装着して、前記缶収納ケースを出し入れ自在とした構成としてある。これにより、缶収納ケース内に収納した飲料缶は略Ｕ字状通路部の両端出入り口部から落下することがなくなるとともに、引き出した缶収納ケース自体が缶収納室の底面前端縁を支点として手前側に傾斜し離脱することもなくなり、安全性の高い飲料缶収納構成を備えた冷蔵庫となる。【選択図】図４
2013190134.tif 000002
【特許請求の範囲】
【請求項１】
上下方向に複数の棚板を配置した貯蔵室を有する冷蔵庫本体と、上記冷蔵庫本体の棚板の下部に設けた缶収納室と、前記缶収納室に引出自在に配置した缶収納ケースとを備え、上記缶収納ケースは平面視略Ｕ字状通路部と略Ｕ字状通路部の出入り口部を覆う前板とを備え、かつ、前記略Ｕ字状通路部の側壁にはレール受け部を設け、当該レール受けを前記貯蔵室の缶収納室のレールに装着して、前記缶収納ケースを出し入れ自在とした冷蔵庫。
【請求項２】
缶収納ケースの略Ｕ字状通路部の通路底面には略Ｕ字状通路部に沿って断面波型の凹凸状を設けるとともに、缶収納ケースを収納する缶収納室には冷気の吐出口を開口させてある請求項１記載の冷蔵庫。
【請求項３】
缶収納ケースは略Ｕ字状通路部を形成する仕切壁を有し、この仕切壁は底面を開口した中空状に形成した請求項１または２記載の冷蔵庫。
【請求項４】
缶収納ケースの側壁並びに底面に多数の冷気通過孔を形成した請求項１〜３のいずれか１項記載の冷蔵庫。
【発明の詳細な説明】
【技術分野】
【０００１】
本発明は冷蔵庫に関し、特に飲料缶の収納構成に関するものである。
【背景技術】
【０００２】
一般に冷蔵庫にはビールやジュース、栄養ドリンク等各種の飲料缶が収納され、冷却されているが、これらの飲料缶を冷蔵室内の棚板上に置いて収納しておくだけであれば、冷蔵室内の収納状態が悪くなり、飲料缶が他の食品等の陰になったりして取り出しにくくなったりする、等の課題があった。
【０００３】
このような課題を解決するものとして缶収納ケースを備え、この缶収納ケースに飲料缶を収納して冷蔵室内を整然とし、かつ、飲料缶の出し入れも容易にしたものがみられる（例えば、特許文献１、特許文献２参照）。
【０００４】
図７は特許文献１の缶収納ケースを示し、この缶収納ケース１は略Ｕ字状通路２を有し、この略Ｕ字状通路２の両端部は開放させて、一方の開放部から飲料缶を入れ、他方の開放部から飲料缶を順次取り出すようになっている。
【０００５】
また、図８は特許文献２の缶収納ケースを示し、この缶収納ケース３は線材でケースが構成してあり、その他は特許文献１と同様の構成となっていて、略Ｕ字状通路４の一方の開放部から飲料缶を入れ、他方の開放部から飲料缶を取り出すようになっている。
【先行技術文献】
【特許文献】
【０００６】
【特許文献１】実用新案登録第３０８９７０８号公報
【特許文献２】特開２００６−６１１８７号公報
【発明の概要】
【発明が解決しようとする課題】
【０００７】
上記従来の缶収納ケースを用いれば、冷蔵室内を整然と整理できるとともに飲料缶の無出し入れも容易にできるが、いずれの缶収納ケースも略Ｕ字状通路２、４の両端部は開放していて、前面側から飲料缶を挿入したり、取り出したりするようになっており、略Ｕ字状通路２、４内に飲料缶が満杯状態となっているのに気がつかず飲料缶を押しこんで他方の開放部から飲料缶が落下する、という安全上の心配があった。この安全上の課題は、前記略Ｕ字状通路２、４の開放部にストッパー等を設けたとしても、このストッパーを乗り越えて飲料缶が缶収納ケースから押し出されて落下することが懸念され、安全性の問題は残る。特に冷蔵庫は子供からお年寄りまで幅広く使用されるため、安全性確保は大きな課題となる。
【０００８】
本発明はこのような点に鑑みてなしたもので、安全性の高い飲料缶収納構成を提供するものである。
【課題を解決するための手段】
【０００９】
本発明は上記目的を達成するため、上下方向に複数の棚板を配置した貯蔵室を有する冷蔵庫本体と、上記冷蔵庫本体の棚板の下部に設けた缶収納室と、前記缶収納室に引出自在に配置した缶収納ケースとを備え、上記缶収納ケースは平面視略Ｕ字状通路部と略Ｕ字状通路部の出入り口部を覆う前板とを備え、かつ、前記略Ｕ字状通路部の側壁外面にはレール受け部を設け、当該レール受け部を前記貯蔵室の缶収納室のレールに装着して、前記缶
収納ケースを出し入れ自在とした構成としてある。
【００１０】
これにより、缶収納ケース内の略Ｕ字状通路部に収納した飲料缶は、略Ｕ字状通路部の両端出入り口部が前板によって覆われているので、収納した飲料缶が落下することがなくなるとともに、この様な構成としたことによって生じると懸念される新たな安全上の問題も解決できる。すなわち、本発明の構成よれば、飲料缶は缶収納ケースを引き出して略Ｕ字状通路部の手前側部分の上方を開放し、この開放部分から上下方向に飲料缶を出し入れすることになるが、その際、缶収納ケース自体が缶収納室の底面前端縁を支点として手前側が下向きになるように傾斜して不安定もしくは最悪時には離脱することが懸念されるものの、この缶収納ケースはその側壁外面に設けたレール受け部が缶収納室のレールに装着してあるので、力の弱い子供等が缶収納ケースを引き出しても缶収納ケースが傾斜したり離脱するようなことがなく、安全性が確保される。
【発明の効果】
【００１１】
本発明は、缶収納ケースから不用意に飲料缶が落下するようなことがなく、しかも缶収納ケース引出時に当該缶収納ケースが下向きに傾斜したり最悪離脱したりするようなこともなく、子供からお年寄りまでの幅広いユーザが安全に使用でき、しかも使い勝手の良い冷蔵庫とすることができる。
【図面の簡単な説明】
【００１２】
【図１】本発明の実施の形態１における冷蔵庫の断面図
【図２】同冷蔵庫の扉を取り外した時の正面図
【図３】同冷蔵庫の冷気ダクトを説明する説明図
【図４】同冷蔵庫に用いる缶収納ケースの斜視図
【図５】同缶収納ケースの断面図
【図６】同缶収納ケースの平面図
【図７】（ａ）従来の冷蔵庫に用いられている缶収納ケースの斜視図、（ｂ）同平面図
【図８】（ａ）従来の冷蔵庫に用いられている他の缶収納ケースを示す斜視図、（ｂ）同平面図
【発明を実施するための形態】
【００１３】
第１の発明は、上下方向に複数の棚板を配置した貯蔵室を有する冷蔵庫本体と、上記冷蔵庫本体の棚板の下部に設けた缶収納室と、前記缶収納室に引出自在に配置した缶収納ケースとを備え、上記缶収納ケースは平面視略Ｕ字状通路部と略Ｕ字状通路部の出入り口部を覆う前板とを備え、かつ、前記略Ｕ字状通路部の側壁外面にはレール受け部を設け、当該レール受け部を前記貯蔵室の缶収納室のレールに装着して、前記缶収納ケースを出し入れ自在とした構成としてある。
【００１４】
これにより、缶収納ケース内の略Ｕ字状通路部に収納した飲料缶は、略Ｕ字状通路部の両端出入り口部が前板によって覆われているので、収納した飲料缶が落下することがなくなるとともに、この様な構成としたことによって生じると懸念される新たな安全上の問題も解決できる。すなわち、本発明の構成よれば、飲料缶は缶収納ケースを引き出して略Ｕ字状通路部の手前側部分の上方を開放し、この開放部分から上下方向に飲料缶を出し入れすることになる。その際、缶収納ケース自体が缶収納室の底面前端縁を支点として手前側が下向きになるように傾斜して不安定もしくは最悪時には離脱することが懸念されるが、この缶収納ケースはその側壁外面に設けたレール受け部が缶収納室のレールに装着してあるので、力の弱い子供等が缶収納ケースを引き出しても缶収納ケースが傾斜したり離脱するようなことがなく、安全性が確保される。
【００１５】
第２の発明は、第１の発明において、缶収納ケースの略Ｕ字状通路部の通路底面には略Ｕ字状通路部に沿って断面波型の凹凸状を設けるとともに、缶収納ケースを収納する缶収納室には冷気の吐出口を開口させた構成としてあり、缶収納室に吐出した冷気は凹凸状に沿って略Ｕ字状通路部の底面を流れ、缶収納ケース内に収納した飲料缶を効率よく冷却することができる。
【００１６】
第３の発明は、第１または第２の発明において、缶収納ケースは略Ｕ字状通路部を形成する仕切壁を有し、この仕切壁は底面を開口した中空状に形成した構成としてあり、中空部にも冷気が流れ込んで飲料缶を略Ｕ字状通路部の両側部から効果的に冷却することができる。
【００１７】
第４の発明は、第１〜第３の発明において、缶収納ケースはその側壁並びに底面に多数の冷気通過孔を形成した構成としてあり、缶収納室に吐出した冷気が冷気通過孔から缶収納ケース内に流れ込んでさらに効率よく飲料缶を冷却することができる。
【００１８】
以下、本発明の実施の形態について、図面を参照しながら説明する。なお、この実施の形態によって本発明が限定されるものではない。
【００１９】
（実施の形態１）
図１は本発明の実施の形態１における冷蔵庫の断面図、図２は同冷蔵庫の扉を取り外した時の正面図、図３は同冷蔵庫の冷気ダクトを説明する説明図、図４は同冷蔵庫に用いる缶収納ケースの斜視図、図５は同缶収納ケースの断面図、図６は同缶収納ケースの平面図である。
【００２０】
図１〜図３において、この冷蔵庫は冷蔵庫１００の内方と外方とを断熱状態で隔てる冷蔵庫本体１０１内に複数に区画した貯蔵室を備えている。この実施の形態の場合は二つの貯蔵室に区画してあり、下部の貯蔵室１０２は複数の冷凍ケース１０３を出し入れ自在に有する冷凍室、上部の貯蔵室１０４は複数の棚板１０５を有し、その機能（冷却温度）によって冷蔵室１０６、野菜室１０７、チルド室１０８、缶収納室１０９と区別して称している。なお、上記冷蔵室１０６は食品が凍らない程度の温度、通常１℃〜５℃程度に設定してあり、チルド室１０８は冷蔵室１０６より低温で食品が凍るか凍らないかの温度に設定してある。
【００２１】
前記冷蔵庫本体１０１は金属製の外箱１０１ａと樹脂製の内箱１０１ｂとの間に例えば硬質発泡ウレタン等の断熱材１０１ｃを充填して構成してあり、外方の大気から冷蔵庫本体１０１の内方に流入しようとする熱を遮断する機能を有している。
【００２２】
また、この冷蔵庫１００は前記冷凍室となる貯蔵室１０２を開閉する第１扉１１０と、冷蔵室１０６、野菜室１０７、チルド室１０８、缶収納室１０９となる貯蔵室１０４を開閉する第２扉１１１を備え、これら各扉１１０，１１１は例えば右側端部を冷蔵庫本体１０１に回転自在に取り付けてあり、硬質発泡等の断熱材を発泡充填して構成してある。
【００２３】
前記冷蔵庫本体１０１はその冷凍室１０２の背部に冷却器１１２が設けてあり、この冷却器１１２で熱交換して生成した冷気は送風ファン１１３によってダクト１１４を介し貯蔵室１０４と貯蔵室１０２に吐出し、これらを冷却するようになっている。
【００２４】
図３はダクト１１４の配置構成を示し、実践矢印で示すように送風ファンから送り出される冷気は冷凍室となる貯蔵室１０２に吐出し、その後主ダクト部１１４ａ上部の吐出口１１４ｂから貯蔵室１０４の上方に吐出されるとともに、前記主ダクト部１１４ａから枝分かれした副ダクト１１４ｃを介して冷蔵室１０６内の各棚板１０５間や、野菜室１０７
、チルド室１０８、缶収納室１０９内へと吐出されるように構成してある。
【００２５】
ここで、上記貯蔵室１０４内の缶収納室１０９は棚板支持部１１５によって支持された棚板１０５ａとチルド室１０８壁及び貯蔵室１０４壁によって形成されており、内部に缶収納ケース１１６が出し入れ自在に設けてある。そして、上記缶収納室１０９の後部底面付近には前記枝分かれした副ダクト１０４ｃの吐出口１０４ｄが開口している。
【００２６】
上記缶収納ケース１１６は、図４〜図６に示すように平面視略Ｕ字状通路部１１７を有する箱型形状に形成してあり、その略Ｕ字状通路部１１７の両端前面の出入り口部は前板１１８によって閉塞してある。この前板１１８は断面略Ｌ字状に形成してその上端部は把手部１１８ａとしてある。また、前記略Ｕ字状通路部１１７の側壁外面にはレール受け部１１９を設け、当該レール受け部１１９を前記缶収納室１０９両側部に設けたレール（図示せず）に装着して、前記缶収納ケース１１６を出し入れ自在としてある。更に、上記略Ｕ字状通路部１１７の通路底面には略Ｕ字状通路部１１７に沿って断面波型の凹凸状１２０が設けてあり、前記副ダクト１１４ｃの吐出口１１４ｄからの冷気を案内するようにしてある。
【００２７】
なお、この缶収納ケース１１６はＡＢＳ樹脂等によって形成してあり、底面略中央部に仕切壁１２１を一体成型して略Ｕ字状通路部１１７を形成している。そして、この仕切壁１２１は底面を開口した中空状に形成してある。
【００２８】
以上のように構成した冷蔵庫について、以下その動作、作用を説明する。
【００２９】
まず、飲料缶を収納する時には、缶収納ケース１１６を引き出し、その手前側上方を棚板閉塞から開放する。この状態で略Ｕ字状通路部１１７の右の手前側上方から飲料缶を順次挿入していく。これにより、飲料缶は順次左の出口側へと移動していき、略Ｕ字状通路部１１７に収納されていく。
【００３０】
また、飲料缶を取り出すときは、同じく缶収納ケース１１６を引き出し、その手前側上方を棚板閉塞から開放する。この状態で略Ｕ字状通路部１１７の左の手前側上方から飲料缶を抜き出して取り出す。これにより、略Ｕ字状通路部１１７内から取り出す飲料缶は十分冷却されたものとなって使い勝手の良いものとなる。
【００３１】
以上のようにして飲料缶の出し入れを行うが、この缶収納ケース１１６は略Ｕ字状通路部１１７の両端出入り口部を前板１１８によって覆って閉塞しているので、収納した飲料缶が略Ｕ字状通路部１１７から落下することがなくなり、安全性が向上する。
【００３２】
また、この様な構成としたことによって生じる安全上の課題も解決して安全に使用することができる。すなわち、缶収納ケース１１６自体を引き出し、前記した如く略Ｕ字状通路部１１７の手前側部分の上方を開放しこの開放部分から飲料缶を上下方向に出し入れすることになるが、その際、缶収納ケース１１６が缶収納室１０９の底面前端縁を支点として手前側が下向きになるように傾斜して不安定な状態になったり、最悪、缶収納ケー１１６自体が缶収納室１０９から離脱する恐れが生じる。しかしながら、この缶収納ケース１１６はその側壁外面にレール受け部１１９を設け、当該レール受け部１１９を缶収納室１０９のレールに装着してあるので、力の弱い子供等が缶収納ケース１１６を引き出しても缶収納ケース１１６が飲料缶の重みで傾斜して不用意に離脱するようなことがなく、水平状態が維持されて安全性が確保される。特に缶収納ケース１１６内の飲料缶は缶収納ケース１１６が傾斜すると、この傾斜に沿って移動して手前側が極端に重くなるから効果的である。
【００３３】
また、上記缶収納ケース１１６の略Ｕ字状通路部１１７の通路底面には断面波型の凹凸状１２０を設けるとともに、缶収納ケース１１６を収納する缶収納室１０９には冷気の吐出口１１４ｄを開口させてあるから、缶収納室１０９に吐出した冷気は凹凸状１２０に沿って略Ｕ字状通路部の底面を流れ、缶収納ケース１１６内に収納した飲料缶を効率よく冷却することができる。
【００３４】
更に缶収納ケースの仕切壁１２１は底面を開口した中空状に形成してあるから、この中空部にも冷気が流れ込んで飲料缶を略Ｕ字状通路部１１７の両側部から効果的に冷却することができる。
【００３５】
（実施の形態２）
この実施の形態２は図示しないが、実施の形態１で説明した缶収納ケース１１６の側壁並びに仕切壁、底面に多数の冷気通過孔を形成した構成としたものであり、缶収納室１０９に吐出した冷気が冷気通過孔から缶収納ケース内に流れ込んでさらに効率よく飲料缶を冷却することができる。
【００３６】
なお、上記実施の形態は本発明を実施するうえでの一例として示したものであり、本発明の目的を達成する範囲内で種々変更可能であることは言うまでもない。
【産業上の利用可能性】
【００３７】
以上のように本発明は、缶収納ケースから不用意に飲料缶が落下するようなことがなく、しかも缶収納ケース引出時に当該缶収納ケースが下向きに傾斜したり最悪離脱したりするようなこともなく、子供からお年寄りまで幅広いユーザが安全に使用でき、しかも使い勝手の良い冷蔵庫となるから、一般用はもちろん業務用の冷蔵庫へも幅広く適用できる。
【符号の説明】
【００３８】
１００  冷蔵庫
１０１  冷蔵庫本体
１０２  冷凍室（貯蔵室）
１０３  冷凍ケース
１０４  貯蔵室
１０５、１０５ａ  棚板
１０６  冷蔵室（貯蔵室）
１０７  野菜室（貯蔵室）
１０８  チルド室（貯蔵室）
１０９  缶収納室（貯蔵室）
１１０  第１扉
１１１  第２扉
１１２  冷却器
１１３  送風ファン
１１４  ダクト
１１４ｂ、１１４ｄ  吐出口
１１５  棚板支持部
１１６  缶収納ケース
１１７  略Ｕ字状通路部
１１８  前板
１１９  レール受け部
１２０  凹凸状
【図１】
2013190134.tif 000003
【図２】
2013190134.tif 000004
【図３】
2013190134.tif 000005
【図４】
2013190134.tif 000006
【図５】
2013190134.tif 000007
【図６】
2013190134.tif 000008
【図７】
2013190134.tif 000009
【図８】
2013190134.tif 000010